(57)【要約】【課題】暗箱内と暗箱外とを連通させる通気路を暗箱に設けるための通気ブロックにおいて、外の光が暗箱内に進入することを防止しつつ、暗箱に麻酔ガスを導入、または排出することを可能にする。【解決手段】麻酔が施された実験動物Ｒを収容し、実験動物Ｒから発生する光を撮影するカメラを装着した暗箱１０１を備えた画像撮影装置において、暗箱１０１内に麻酔ガスＧを導入し、または暗箱１０１外へ麻酔ガスＧを排出する通気路を備えた通気ブロック６０。暗箱１０１外の光Ｌを暗箱１０１内に進入するのを防止する複数の遮光壁６７を、通気路６２に備えている。【選択図】図５
2009082072.tif 000002
【特許請求の範囲】
【請求項１】
被写体から発生する光を撮影するカメラを装着した暗箱を備えた画像撮影装置において、
前記暗箱内にガスを導入し、または該暗箱内からガスを排出する通気路を備えた通気ブロックであって、
前記暗箱外の光を該暗箱内に進入するのを防止する複数の遮光壁を前記通気路に備えたことを特徴とする通気ブロック。
【請求項２】
前記複数の遮光壁が、前記通気路の対向する側壁から交互に、互いに入り組んで延びた遮光板からなるものであることを特徴とする請求項１に記載の通気ブロック。
【請求項３】
さらに、前記遮光板上に、通気方向を横切る方向に立設された複数の第２の遮光板を設けたことを特徴とする請求項２に記載の通気ブロック。
【請求項４】
前記通気ブロックが、暗箱外に面した開口を有し、前記遮光壁が、前記開口の内側に、該開口から進入した光を反射するように設けられた９０度反射板を含むものであることを特徴とする請求項１から３のいずれか１項に記載の通気ブロック。
【発明の詳細な説明】
【技術分野】
【０００１】
本発明は、通気路に遮光壁を備えることにより、暗箱外の光を暗箱内に進入することを防止する通気ブロックに関するものである。
【背景技術】
【０００２】
近年、マウスなど実験動物の生体内での働きを、直接、実験動物等が生きたままの状態で観察するin vivoイメージングと呼ばれる手法が盛んに用いられている。例えば、実験動物に腫瘍などの病理部を作り蛍光標識した薬剤等を血管注射等により投与した後、病理部に励起光を照射し、薬剤の集中ないしは拡散する様子を経時的に蛍光観察することが挙げられる。
【０００３】
さらに、物質が化学反応を起こす際に、反応に伴って光を出す反応（ケミルミネッセンス）を利用し、生体組織の検査・研究（遺伝子解析、疾患、老化）、有機化合物・高分子化合物の劣化評価を行う化学発光法も存在する。この化学発光法においては、たとえば生体由来の物質を抗原で標識し、化学発光基質と接触させることによって化学発光を生じさせる標識物質により標識された抗体を抗原と接触させた後、化学発光基質を接触させることにより化学発光を生じさせるようにしている。
【０００４】
上記の蛍光法もしく化学発光法においては、検出すべき蛍光もしくは化学発光は微弱光であるため、in vivoイメージング手法にあっては、蛍光もしくは化学発光を検出する際には外部の光を遮断する暗箱内に被写体である実験動物を収容し、実験動物から射出される蛍光もしくは化学発光を冷却ＣＣＤ（撮像部）により検出することが行われる。具体的には、蛍光法においては暗箱に備え付けられた励起光源から実験動物に励起光を照射し、実験動物から発生する蛍光を高感度レンズに通して、冷却ＣＣＤ上に結像して可視化する。化学発光法においては、励起光源は消灯したまま実験動物から射出する化学発光を、高感度レンズを通して冷却ＣＣＤ上に結像する。蛍光法もしくは化学発光法のいずれにおいても、実験動物が撮影中に予期せぬ意識の回復をすることによる撮像の劣化を防止するため、撮影中、実験動物には麻酔が施される。
【０００５】
特許文献１には、気化器により低圧酸素に麻酔ガスを混合して麻酔ガスを生成し、暗箱内のノーズマスクへの麻酔ガスを供給する麻酔装置が開示されている。この際の麻酔ガスの導入の流量はオンオフ弁により制御され、更に、麻酔ガスの排出の流量は真空ポンプにより制御する。
【特許文献１】特表２００５−５１７５０７号公報
【発明の開示】
【発明が解決しようとする課題】
【０００６】
しかしながら、in vivoイメージング手法にあっては実験動物の意識回復による撮像の劣化を防止するため、撮影中には暗箱内に収容された実験動物に麻酔を施す必要があり、暗箱内に麻酔ガスを導入、または排出することが要求される。暗箱内に麻酔ガスを導入、または排出すると、導入口、または排出口からの光が暗箱内に進入する虞が生じる。顕著な具体例としては、作業者が、研究施設等で使用される透明チューブを用いて配管した場合には、透明チューブを介して光が進入する虞がある。
【０００７】
特許文献１に開示されている技術では、暗箱内に麻酔ガスを導入、または排出することは可能であるが、暗箱外の光が暗箱内に進入することを回避することはできない。また、このような問題は、麻酔ガス以外の酸素ガス、窒素ガス、二酸化炭素ガス等を暗箱に導入、または排出する場合においても共通に発生する。
【０００８】
本発明の目的は、上記事情に鑑み、光が暗箱内に進入することを回避しつつ、暗箱にガスを導入、または排出することが可能な通気ブロックを提供する。
【課題を解決するための手段】
【０００９】
本発明の通気ブロックは、被写体から発生する光を撮影するカメラを装着した暗箱を備えた画像撮影装置において、暗箱内にガスを導入し、または暗箱内からガスを排出する通気路を備えた通気ブロックであって、暗箱外の光を暗箱内に進入するのを防止する複数の遮光壁を通気路に備えたことを特徴とするものである。
【００１０】
ここで、上記「被写体」とは、カメラによる撮影の対象を意味するものであり、具体的に、例えば、実験動物や生物試料等を意味するものである。上記「ガス」とは、暗箱内に供給する気体を意味するものであり、例えば、実験動物に供給する麻酔ガスや、生物試料に供給する窒素ガス、酸素ガス、二酸化炭素ガスをも含むものである。
【００１１】
上記「被写体から発生する光」とは、蛍光標識された実験動物に励起光を照射することにより発生する蛍光であってもよいし、化学発光基質と接触して発光する化学発光、生物発光であってもよい。「通気路」とは、通気ブロック内に形成されたガスの経路を意味するものである。
【００１２】
上記通気ブロックにおいて、複数の遮光壁を、通気路の対向する側壁から交互に、互いに入り組んで延びた遮光板からなるものとすることができる。
【００１３】
ここで、上記「互いに入り組んで」とは、通気ブロックに入射した光が、通気路を直進して通過できない程度に互いに入り組んでいることを意味する。上記「延びた」とは、かならずしも側壁から垂直に延びた状態を意味するものではなく、所定の角度を有して延びた状態をも含むものとする。
【００１４】
さらに、上記通気ブロックにおいては、遮光板上に、通気方向を横切る方向に立設された複数の第２の遮光板を設けたことができる。
【００１５】
ここで、「通気方向」とは、通気路内をガスが通過する方向を意味するものである。
【００１６】
上記通気ブロックにおいては、暗箱外に面した開口を有し、遮光壁が、開口の内側に、開口から進入した光を反射するように設けられた９０度反射板を含むものとすることができる。
【発明の効果】
【００１７】
本発明の通気ブロックによれば、通気ブロックから進入した光が通気路内に設けられた遮光壁により遮光されることで、光は通気路の途中までしか進入することができない。したがって、暗箱内に光が進入することを回避しつつ、暗箱にガスを導入、または排出することが可能となる。
【発明を実施するための最良の形態】
【００１８】
以下、図面を参照して本発明の通気ブロック６０の実施形態を詳細に説明する。図１は、本発明の通気ブロック６０を使用した画像撮影装置１の概略構成図である。
【００１９】
本実施形態においては、被写体を実験動物Ｒとし、ガスを麻酔ガスＧとして説明するが、特にこれらに制限されるものではない。被写体を生物試料とし、ガスを窒素ガス、酸素ガス、二酸化炭素ガス等を用いることも可能である。図１の画像撮影装置１は、実験動物Ｒから発せられる蛍光、もしくは化学発光を撮影する暗箱１０１、撮影手段１０２、制御手段２００、恒温手段３００、麻酔システム１０を有する。
【００２０】
暗箱１０１は、略直方体に形成された中空部を有するものであって、実験動物Ｒを内部に収容するものである。暗箱１０１には、蓋が開閉可能に取り付けられており、ユーザが実験動物Ｒを出し入れすることができるようになっている。暗箱１０１は、内部に配設されたハウジング１０５、ハウジング上側に固定された落射光源１０６を有している。
【００２１】
ハウジングン１０５は、図示しない駆動部により、暗箱１０１内を上下（図中Ｚ方向）に移動可能である。
【００２２】
落射光源１０６は、実験動物Ｒに励起光を照射するものであり、例えば、多数のＬＥＤが２次元上に配置されたものである。蛍光標識の種類に応じて、励起光の波長を適宜選択できるように、異なる波長の励起光をそれぞれ照射する落射光源１０６を複数種類準備し、蛍光標識の種類に応じて落射光源１０６そのものを交換できる構成になっている。なお、１つの落射光源１０６に複数種類の波長で発光するＬＥＤを交互に配置し、適宜所望の波長を発光するＬＥＤのみとする構成としても良いし、ハロゲンランプあるいは白色ＬＥＤ等の白色光源と、複数枚の分光フィルタとを組み合わせて光源を構成し、分光フィルタを適宜交換することにより、励起光の波長帯域を切換える構成としても良い。
【００２３】
撮影手段１０２は、実験動物Ｒの発する、蛍光または化学発光、生物発光の撮影し、画像情報として出力する、二次元上に配置された複数のＣＣＤなどの撮影素子からなる撮影部１０３と、撮影素子の撮像面に画像を結像する結像レンズであるレンズ部１０４とを備えている。
【００２４】
撮影部１０３は、暗箱１０１の上面に固定されている。なお、この撮影部は図示しない冷却装置が取り付けられており、撮影手段１０２を冷却することにより画像情報に暗電流によるノイズ成分が含まれるのを抑止することができる。
【００２５】
レンズ部１０４は、複数のレンズが組み合わされて構成されており、フォーカスを自動的に実験動物Ｒに合わせるオートフォーカス機能を有している。なお、レンズ部１０４には図示しない励起光カットフィルタが備えられており、実験動物Ｒから反射した励起光が撮影部１０３に入射しないように構成されている。
【００２６】
制御手段２００は、画像撮影装置１００を制御するものであり、処理部２０１、マウスやキーボード等の入力部２０２、およびＣＲＴや液晶ディスプレイ等からなる表示部２０３から構成されており、撮影手段１０２を制御するものであり、画像情報を取得し、表示部２０３に表示するものである。
【００２７】
さらに、制御手段２００は、ハウジング１０５の上下移動（図中Z方向）を制御するものであり、ハウジング１０５の位置情報から図示しない駆動部を制御している。
【００２８】
恒温手段３００は、ハウジング１０５上に配設されており、暗箱１０１に収容された実験動物Ｒの周囲の空間における温度および湿度を所定の状態に制御している。具体的には、実験動物Ｒの周辺の空間を３７℃、９５％ＲＨに維持することが可能である。なお、生体内と同様の環境にするためには３６−３７℃、８０−９５％ＲＨ程度とすることが好ましい。恒温手段３００については、後で詳細に説明する。
【００２９】
麻酔システム１０は、麻酔ガスＧを生成する麻酔ガス生成装置２０と、暗箱１０１に収容する前に実験動物Ｒに麻酔を施す麻酔ガス導入装置３０と、暗箱１０１に収容された実験動物Ｒに麻酔ガスＧを供給する麻酔ガス供給装置４０とを備えている。
【００３０】
麻酔ガス生成装置２０は、キャリアガスに、気化させた麻酔源を混合させることにより麻酔ガスＧを生成するものであり、キャリアガスを供給するボンベ２１、供給されるキャリアガスの流量をモニタする流量計２２、キャリアガスに、気化させた麻酔源を混合することにより麻酔ガスＧを生成する気化器２３、高圧ボンベ２１と流量計２３との間に取り付けられたフラッシュバルブ２４とから構成されている。具体的には、キャリアガスとしては、酸素ガス、二酸化炭素ガス、窒素ガス、またはボンベ２１の代わりにコンプレッサーすることにより、圧縮空気が使用される。さらに、具体的な麻酔源としては、イソフルレンが使用される。フラッシュバルブ２４を開放すると、キャリアガスは気化器２３を介さず、即ちキャリアガスのまま、麻酔導入装置３０および麻酔供給装置４０に供給されることになる。具体的な気化器２３としては、ＶｅｔＥｑｕｉｐ社製、室町機械社製、夏目製作所社製のものを使用することが望ましい。
【００３１】
麻酔ガス導入装置３０は、実験動物Ｒを暗箱１０１の内部に収容する前に、実験動物Ｒに麻酔ガスＧを施すためのものであり、実験動物Ｒを収容する導入チャンバ３１を備えている。導入チャンバ３１は、麻酔ガス生成装置２０からの麻酔ガスＧを供給するチャンバ導入口３１ａ、導入チャンバ３１から麻酔ガスＧを排出するチャンバ排出口３１ｂ、キャリアガスとして圧縮空気を使用する場合の図示しないチャンバ回収口３１ｃを有している。なお、チャンバ導入口３１ａへの供給は、チャンバ導入バルブ３２により開閉され、チャンバ排出口３１ｂからの回収は、チャンバフィルタ３３を介して大気中に放出される。
【００３２】
麻酔ガス供給装置４０は、後述する恒温手段３００の試料トレー３０１に移動可能に配置されたノーズマスク５０、暗箱１０１の側面に配置され、暗箱１０１の外とノーズマスク５０との麻酔ガスＧの導入、回収、排出に使用される通気ブロック６０、回収する麻酔ガスＧを吸引する負圧源７０を有する。なお、回収された、または排出された麻酔ガスＧはフィルタ７１を介して大気中に放出される。
【００３３】
ノーズマスク５０は、麻酔ガスＧが供給される麻酔導入部５５、漏れた麻酔ガスＧを
回収する麻酔回収部５３、麻酔ガスＧが排出される麻酔排出部５６、実験動物Ｒに麻酔ガスＧを供給する図示しない麻酔供給部５４を有している。
【００３４】
通気ブロック６０は、麻酔ガスＧを暗箱１０１の外部からノーズマスク５０に導入する通気導入部６３、回収された漏れた麻酔ガスＧを暗箱１０１の外へ排出する通気回収部６４、排出された麻酔ガスＧを暗箱１０１の外部に排出する通気排出部６５を有している。
【００３５】
次に、通気ブロック６０を介して暗箱１０１外とノーズマスク５０との配管にいて説明する。図２は、本発明の通気ブロック６０とノーズマスク５０との配管を示す斜視図である。なお、図２（ａ）では、理解を用意にするため、暗箱１０１の一部を省略して示す。
【００３６】
図２（ａ）に示すように、暗箱１０１の内においては、麻酔導入部５５と通気導入部６３、麻酔回収部５３と通気回収部６４、麻酔排出部５６と通気排出部６５とは接続するように配管される。
【００３７】
図２（ｂ）の示すように、暗箱１０１の外においては、通気導入部６３と図示しない麻酔生成装置２０、通気回収部６４と負圧源７０、通気排出部６５とフィルタ７１が接続されている。更に、暗箱１０１に第２の回収口７３を設けることにより、暗箱１０１の内部に漏れた麻酔ガスＧを暗箱１０１の外部に排出させてもよい。
【００３８】
次に、麻酔システム１０を使用しての麻酔方法について説明する。図３は、画像撮影装置１の麻酔システム１０の配管の模式図である。図３（ａ）は、キャリアガスとして酸素ガスを使用した場合の配管の模式図であり、図３（ｂ）は、キャリアガスにコンプレッサー２５を介して空気を使用した場合の配管の模式図である。
【００３９】
ここでは、主として、図３（ａ）に基づいて説明する。
【００４０】
ボンベ２１から流量計２２で流量がモニタされた、酸素ガスが気化器２３へ供給される。気化器２３で、気化された麻酔源が混合された麻酔ガスＧが生成する。例えば、本実施形態においては、麻酔源としてイソフルレンを使用する。
【００４１】
作業者は、導入バルブ３２を閉じた状態において実験動物Ｒを導入チャンバ３１へ収容する。作業者が導入バルブ３２を開くことにより、麻酔ガスＧが、導入チャンバ３１へチャンバ導入口３１ａから導入される。導入された麻酔ガスＧにより、収容された実験動物Ｒに麻酔が施されると共に、導入チャンバ３１内の麻酔ガスＧが、チャンバ排出口３１ｂから排出される。排出さられた麻酔ガスＧは、チャンバフィルタ３３を介して大気中に放出される。
【００４２】
作業者は、実験動物Ｒに十分な麻酔が施された後に、フラッシュバルブ２４を開放し、気化器２３を介さずに酸素ガスのみを、チャンバ導入口３１ａから導入チャンバ３１に導入する。導入された酸素ガスが、チャンバ３１内の麻酔ガスＧをすべて、チャンバ排出口３１ｂから排出させる。その後に、作業者は、実験動物Ｒを暗箱１０１から取り出し、フラッシュバルブ２４、および導入バルブ３２を閉じる。
【００４３】
ここで、図３（ｂ）の場合、即ちキャリアガスにコンプレッサー２５を介して空気を使用した場合には、麻酔生成装置２０はフラッシュバルブ２４を有していないため、導入チャンバ３１に、チャンバ回収口３１ｃを設け、チャンバ負圧源３４を接続して導入チャンバ３１の内部の麻酔ガスＧを回収する。すなわち、作業者が導入バルブ３２を閉じたのち、作業者は、チャンバ負圧源３４を駆動させ、チャンバ負圧源３４の吸引により導入チャンバ３１内の麻酔ガスＧが、チャンバ排出口３１ｃから排出される。排出された麻酔ガスＧは、チャンバフィルタ３３を介して大気中に放出される。
【００４４】
これにより、導入チャンバ３１内への麻酔ガスＧの残留が低減され、作業者は麻酔ガスＧを吸引する虞がなく、生体試料Ｒを導入チャンバ３１から安全に取り出すことが可能となる。
【００４５】
作業者は、供給バルブ４１を閉じた状態において、麻酔導入装置３０により麻酔が施された実験動物Ｒを、暗箱１０１の内部に収容する。ノーズマスク５０の麻酔供給部５４に実験動物Ｒの鼻を差し込む。作業者が供給バルブ４１を開くことにより、麻酔ガスＧが、通気導入部６３から麻酔導入部５５に供給される。麻酔ガスＧにより、実験動物Ｒに麻酔が施される。麻酔ガスＧを供給することにより、ノーズマスク５０内の麻酔ガスＧが、麻酔排出部５６から排出され、通気排出部６５から暗箱１０１の外へ排出され、フィルタ７１を介して大気中に放出される。ノーズマスク５０から暗箱１０１の内部に漏れた麻酔ガスＧは、負圧源７０が吸引することにより、麻酔回収部５３から通気回収部６４に排出され、フィルタ７１を介して大気中に放出される。
【００４６】
撮影終了後、作業者は、暗箱１０１の内部に漏れた麻酔ガスＧが負圧源７０により十分に吸引された後に、収容された実験動物Ｒを取り出す。なお、図３（ａ）および図３（ｂ）においては、前述した暗箱１０１に第２の回収口７３を設け、さらに第２の負圧源７２で吸引することにより、暗箱１０１内部に漏れた麻酔ガスＧの暗箱内部への残留を回避させている。
【００４７】
これにより、暗箱１０１内への麻酔ガスＧの残留が低減され、作業者は麻酔ガスＧを吸引する虞がなく、生体試料Ｒを暗箱１０１から安全に取り出すことが可能となる。
【００４８】
次に、恒温手段３００について説明する。図４は、恒温手段３００の概略構成の斜視図である。図４（ａ）は、恒温手段３００を正面から斜視図を示し、図４（ｂ）は、理解を容易にするため、後述する本体３０１を省略した恒温手段３００を示す斜視図である。
【００４９】
上述したとおり、恒温手段３００は、実験動物Ｒの周囲の空間を所定の温度に制御するものであり、図４（ａ）に示すように、本体３０１、本体３０１の上に配置して、実験動物Ｒを載せる試料トレー３０２、本体３０１と試料トレー３０２の間に配置にされた図示しないヒータ３０３、本体に内蔵されたコントローラ３０４、図４（ｂ）に示すように、試料トレー３０２の裏面に配置された温度をモニタする温度センサ３０５から構成されている。図４（ａ）に示すように、試料トレー３０２には、ノーズマスク５０を自在に配置可能（図中矢印方向）とするガイド３０７が、ビス３０６により固定されている。
【００５０】
次に本発明の通気ブロック６０について説明する。図５は、本発明の概略構成を示した斜視図である。なお、図５（ａ）は通気ブロック６０の全体の概略を示し、図５（ｂ）は、理解を用意にするため、通気ブロック６０の断面図を示す斜視図である。
【００５１】
通気ブロック６０は、上述した通り、暗箱１０１の側面に配置され、暗箱１０１の外とノーズマスク５０との麻酔ガスＧの導入、回収、排出に使用されものであり、図５（ａ）に示すようにブロック本体部６１、ブロック本体部６１の両側に、開口した通気導入部６３、通気回収部６４、通気排出部６５から構成される。図５（ｂ）に示すように、ブロック本体部６１の内部には通気路６２が形成されている。暗箱１０１の外側に面した開口から図中破線で示す光Ｌが進入する虞がある。
【００５２】
本実施形態においては、ブロック本体部６１は、具体的には、通気路６２が形成されたブロック本体６１ａが、ブロック本体６１ａの両側をブロック側板６１ｂによりビスで固定されている構造になっている。なお、麻酔ガスＧの漏出を防止するため、ブロック側板６１ｂをパッキンを介してブロック本体６１ａに固定されることが望ましい。また、ブロック本体６１ａは、アルミ等の金属材料であってもよいが、黒色の樹脂材料とすることが望ましい。
【００５３】
次に、本発明の第１の実施形態について説明する。図６は、本発明の第１の実施形態をしめす模式図および斜視図である。図６（ａ）は、通気路６２の構造を模式的に示したものである。図６（ａ）に示すように、本発明の第１の実施形態は、遮光壁６７が、通気路６２の対向する側壁から交互に、互いに入り組んで延びた遮光板６８から構成されている。この遮光板６８が、通気路６２に進入した光Ｌを遮光する。
【００５４】
ここで、本発明の第１の実施形態の作用について説明する。図中破線で示した通気路６２に入射した光Ｌは、遮光板６８に反射し、減衰しながら通気路６２を直進することになる。なお、遮光板６８の表面を梨地とすることがより好ましい。例えば、６０００ｌｕｘ程度の光Ｌが、通気路６２に入射し、ガラス表面相当の反射率４％を有する遮光板６８と７回の反射を繰り返しつつ直進することにより、９．８３×１０-７ｌｕｘ程度に減衰される。
【００５５】
図６（ｂ）は、本発明の第１の実施形態において、遮光板６８ａの数を増やしたものを示す図である。これにより、光Ｌの反射回数が増え、より大きな遮光効果が望まれる。
【００５６】
図６（ｃ）は、本発明の第１の実施形態の断面を示す斜視図である。
【００５７】
なお、遮光板６８は、通気路６２を仕切っていないため、麻酔ガスＧの経路としては支障がない。
【００５８】
次に本発明の第２の実施形態を説明する。図７は、本発明の第２の実施形態を示す模式図である。遮光板６８上に、麻酔ガスＧの通気方向を横切る方向に複数の第２の遮光板６８ａを設けることにより、通気路６２に入射した光Ｌが、通気路６２において、反射回数が増えより減衰する。なお、第２の遮光板６８ａの表面も梨地とすることが好ましい。
【００５９】
次に本発明の第３の実施形態を説明する。図８は、本発明の第３の実施形態を示すものである。図８（ａ）乃至（ｃ）は、本発明の第３の実施形態を模式的に示すものである。図８（ａ）乃至（ｃ）に示すように、本発明の第３の実施形態は通気路６２の開口の内側に、入射した光Ｌが反射するように９０度反射板６９を設けている。これにより、図中破線に示す通気路６２に進入した光Ｌが、通気路６２の開口において反射されることになる。
【００６０】
図８（ｄ）および（ｅ）は、第１の実施形態および第２の実施形態に９０度反射板６９を設けたものを模式的に示すものである。
【００６１】
図８（ｆ）および（ｇ）は、第３の実施形態の断面を示す斜視図である。
【００６２】
次に本発明の第４の実施形態を説明する。図９は、本発明の第４の実施形態を模式図と斜視図を示すものである。通気路６２の開口に、開口の形状に応じた第３の遮光板６８ｂを設ける。第３の遮光板６８ｂは、周辺部に麻酔ガスＧの貫通穴を有し、通気路６２の開口の中心部に入射した図中破線で示す光Ｌは、通気路６２に進入しない構造とすることにより、遮光するものである。なお、麻酔ガスＧは貫通穴から通気路６２に進入する。
【図面の簡単な説明】
【００６３】
【図１】本発明を使用した画像撮影装置１の概略構成を示す斜視図
【図２】本発明とノーズマスク５０との配管を示す斜視図
【図３】本発明を使用した麻酔システム１０の配管を示す模式図
【図４】恒温手段３００の概略構成を示す斜視図
【図５】本発明の概略構成を示す斜視図
【図６】本発明の第１の実施形態を示す模式図および斜視図
【図７】本発明の第２の実施形態を示す模式図
【図８】本発明の第３の実施形態を示す模式図および斜視図
【図９】本発明の第４の実施形態を示す模式図および斜視図
【符号の説明】
【００６４】
Ｇ      麻酔ガス
Ｌ      光
Ｒ      実験動物
６０    通気ブロック
６１    ブロック本体部
６２    通気路
６３    通気導入部
６４    通気回収部
６５    通気排出部
６７    遮光壁
６８    遮光板
６８ａ    第２の遮光板
６９    ９０度反射板
１０１  暗箱
【図１】
2009082072.tif 000003
【図２】
2009082072.tif 000004
【図３】
2009082072.tif 000005
【図４】
2009082072.tif 000006
【図５】
2009082072.tif 000007
【図６】
2009082072.tif 000008
【図７】
2009082072.tif 000009
【図８】
2009082072.tif 000010
【図９】
2009082072.tif 000011